(57)【要約】　　　（修正有）【課題】放熱面積を広げ、対流すると発生する死角を減少し、放熱効果を増加する放熱器の構造を提供する。【解決手段】導熱基板１に上へ向かって延びる数本の針状の放熱導支柱１２を設けることにより放熱面積が広くなる。また、放熱導支柱１２の高度は内側へ向かうほど短くなっており、放熱導支柱１２により形成される頂面は凹面１２１状を呈している。更に、導熱基板１本体の上方表面は曲面１１を呈しており、風の流動により発生する死角３を減少し、廃熱が滞留することを防ぐ。また、導熱基板１は曲面、或いは斜面であることを特徴とし、放熱導支柱１２の頂部は窪んでいる、或いは、斜面又は内側へ向かって窪む曲面であることを特徴とし、放熱導支柱１２は、柱状体、円錐体、あるいは片状体であることとする。【選択図】　　　　図３
0003097418.tif 000002
【実用新案登録請求の範囲】
【請求項１】
曲面導熱基板、数本の放熱導支柱、数本の固定円柱により組成する放熱器において、
該曲面導熱基板へ数本の針状の放熱導支柱を設けることにより、放熱面積が広くなり、また曲面導熱基板上方の角へ数本の固定円柱を設けており、更に該曲面導熱基板と放熱導支柱が連接する所は曲面の形状を呈しており、該放熱導支柱の高度は内側へ向かうほど短くなっており、全ての放熱導支柱により形成される頂面は凹面状を呈している
ことを特徴とする放熱器の構造。
【請求項２】
前記導熱基板は曲面であるか、又は斜面であることを特徴とする、請求項１記載の放熱器の構造。
【請求項３】
前記放熱導支柱の頂部は窪んでいるか、又は、斜面或いは内側へ向かって窪む曲面であることを特徴とする請求項１記載の放熱器の構造。
【請求項４】
前記放熱導支柱は、柱状体、円錐体、又は片状体であることを特徴とする請求項１記載の放熱器の構造。
【考案の詳細な説明】
【０００１】
【考案の属する技術分野】
本考案は放熱片本体の導熱性能を運用して、及び空気の流動を利用して電子部品の作動中に発生する廃熱を取り去り、電子部品が正常に働く温度となることを達成する。
また、運用する導熱基板の表面は弧状の曲面を呈しており、風の流動により発生する死角を減少し、電子部品の問題である廃熱滞留を低下する放熱器の構造にかかわる。
【０００２】
【従来の技術】
公知における放熱器は、公知における平面放熱基板２へ数枚の薄い片のような形状の放熱導片２２を設けたものである。且つ、該各種公知における放熱器の主な差異性は、放熱導片２２の配列方式が異なるだけのものであり、例として放熱導片２２を重ねた放熱器（図２参照）、放熱導片２２を並行に配列した放熱器（図１参照）が挙げられる。また、上述の公知における放熱器の放熱導片２２の配列方法は数多くある。
その主な目的としては、放熱の面積を広げ、熱が対流する効果および熱伝導の増加であり、放熱導片２２の特性を利用して放熱する効果を達成する。
この他に、公知の放熱器に設けるファンの風流量を強めることで放熱効果を増加する。しかし該ファンの回転する過程の中でファンの中心下方は風量が弱く（図５参照）、この風量が弱い地帯は上述の死角と同様に廃熱を排除することが出来ないので、温度が非常に高く、大きな欠点となる。
【０００３】
【考案が解決しようとする課題】
上述公知の放熱器における欠点を解決するために、放熱面積を広げ、対流すると発生する死角を減少し、放熱効果を増加する放熱器の構造の提供を課題とする。
【０００４】
【課題を解決するための手段】
上述の課題を解決するために、下記の放熱器の構造を提供する。
主に導熱基板に上へ向かって延びる数本の針状の放熱導支柱を設けることにより放熱面積が広くなり、
また該放熱導支柱の高度は内側へ向かうほど短くなっており、
該放熱導支柱により形成される頂面は凹面状を呈している。
更に該導熱基板本体の上方表面は曲面の形状を呈しており、風の流動により発生する死角を減少し、廃熱が滞留することを低下する。
すなわち、本考案の放熱器の構造は、
曲面導熱基板、数本の放熱導支柱、数本の固定円柱により組成する放熱器において、　該曲面導熱基板へ数本の針状の放熱導支柱を設けることにより、放熱面積が広くなり、また曲面導熱基板上方の角へ数本の固定円柱を設けており、更に該曲面導熱基板と放熱導支柱が連接する所は曲面の形状を呈しており、該放熱導支柱の高度は内側へ向かうほど短くなっており、全ての放熱導支柱により形成される頂面は凹面状を呈していることを特徴とする。
また、前記導熱基板は曲面であるか、又は斜面であることを特徴とする。
また、前記放熱導支柱の頂部は窪んでいるか、又は、斜面或いは内へ向かって窪む曲面であることを特徴とする。
さらに、前記放熱導支柱は、柱状体、円錐体、又は片状体であることを特徴とする。
【０００５】
【考案の実施の形態】
図３、４に示すように、本考案は曲面導熱基板１と、数本の放熱導支柱１２および４本の固定円柱１３により組成する放熱器に係る。
該曲面導熱板１１へ上へ向かって延びる数本の針状の放熱導支柱１１を設けることにより、放熱面積が広くなる。また、曲面導熱基板上方の角へ４本の固定円柱１３を設ける。
更に該曲面導熱基板１と放熱導支柱１２が連接する所は、曲面１１の形状を呈しており、風の流動により発生する死角を減少し、廃熱が滞留することを低下する。前記導熱基板１は曲面１１の他に、斜面であっても良い。
更に、該放熱導支柱１２の高度（長さ）は内側へ向かうほど短くなっており、全ての放熱導支柱により形成される頂面は凹面状を呈している。この凹面状は風圧の原理を利用してデザインされており、風が放熱器の上方から下方へ向かって吹くと、風圧が発生し、この風圧は内部に向かって減圧していき、放熱器中心の風の流動量は強くなり（図７参照）風が放熱器の底部へ流入すると、この風圧は外へ向かって減圧していき、中心の空気は外へ流出する。
且つ、放熱導支柱の高度は中心へ行くほど低くなるので、下に示すように、エネルギー伝逓（Ｅｎｅｒｇｙ　Ｃｈａｎｎｅｌ）の公式（Ｑｃｏｎｄ＝ｋｔ×Ａ×△Ｔ÷△ｘ）により、放熱導支柱が短くなっていくと熱伝導効率は高くなる。よって、放熱器の中心へ風を導入し、更に廃熱を利用して、放熱の効果を増加する（図７参照）。よって、実用性及び進歩性を具える考案である。
Ｑｃｏｎｄ＝エネルギー伝逓
ｋｔ＝導熱係数
Ａ＝面積
Ｔ＝温度差
Ｘ＝厚さ、温度
さらに、前記放熱導支柱１２の頂部は窪んでいることを特徴とする。その他には、斜面又は内側へ向かって窪む様に形成された曲面であっても良い。前記放熱導支柱１２の形状は、柱状体であることを特徴とするが、その他円錐体、あるいは片状体であっても良い。
【０００６】
【考案の効果】
本考案によると、主に導熱基板に上へ向かって延びる数本の針状の放熱導支柱を設けることにより放熱面積が広くなる。また、該放熱導支柱の高度は内側へ向かうほど短くなっており、該放熱導支柱により形成される頂面は凹面状を呈している。
更に該導熱基板本体の上方表面は曲面の形状を呈しており、風の流動により発生する死角を減少し、廃熱が滞留することを低下し、並びにファンの機能も高め、進歩性、実用性を具え、実質的な経済効果も具え、産業性も具える効果をあげる目的が達成される。
また該ファンは放熱器の固定円柱を利用して固定し、放熱器は掛け具を利用して設置固定する。
【図面の簡単な説明】
【図１】公知構造における指示図である。
【図２】別の公知構造における指示図である。
【図３】本考案における立体図である。
【図４】本考案におけるもう一つの立体図である。
【図５】公知構造における空気の対流死角説明図である。
【図６】本考案における空気の対流説明図である。
【図７】本考案における実施例である。
【符号の説明】
１　　　曲面伝導熱基板
１１　　伝導熱基板曲面
１２　　放熱導支柱
１３　　固定円柱
１２１　凹面
２　　　公知における平面放熱導基板
２１　　熱導基板
２２　　放熱導片
３　　　死角
４　　　気流の流れ
５　　　風量が低い地帯
６　　　ファン
【図１】
0003097418.tif 000003
【図２】
0003097418.tif 000004
【図３】
0003097418.tif 000005
【図４】
0003097418.tif 000006
【図５】
0003097418.tif 000007
【図６】
0003097418.tif 000008
【図７】
0003097418.tif 000009